(57)【要約】【課題】ユーザが保有している一般的な車載器や携帯端末を用いて、サービスの利用料金の割引を行うことができる課金システムを提供すること。【解決手段】決済システム１は、認証及び決済業務を行う管理事業者の業務エリアに配置された中央制御装置としてのセンターサーバ２及びウェブサーバ３と、駐車場事業者の運営する駐車場に配置された路側装置としての路側サーバ４と、駐車場に配置されて路側サーバ４に接続された精算装置５とを備える。ユーザが、駐車場が設置された店舗で商品を購入するに伴って提示されたＱＲコードを携帯電話機８の撮像部８６で読み込み、ＱＲコード解析部８７で解析されたＵＲＬにアクセスしてウェブサーバ３からウェブページの情報を受信する。携帯電話機８がＵＲＬにアクセスする際にウェブサーバ３へ送信する情報に基づいて、割引制御部２０が、駐車場料金から割り引くべき割引額を特定する。【選択図】図２
2011209989.tif 000002
【特許請求の範囲】
【請求項１】
車載器を搭載した車両又はそのユーザに提供されるサービスに関し、サービス利用代金を特定するための課金システムであって、
中央制御センターに設置された中央制御装置と、サービスの提供領域に設置された路側装置及び精算装置とを備え、
上記中央制御装置は、
路側装置から受信した車載器の固有情報に基づいて車載器の認証を行う認証部と、
認証部による車載器の認証が成功すると、車載器の固有情報に予め関連付けられたユーザの携帯端末のメールアドレスに宛てて、サービス利用料金の割引を行う旨を示す割引対象情報又は割引対象情報をユーザの携帯端末に表示するためのリンク情報を含んだ電子メールを送信するメール送信部と、
割引のための割引基本情報を取得する割引基本情報取得部と、
割引基本情報取得部が取得した割引基本情報に基づいて、サービス利用料金から割り引くべき金額を特定する割引額特定部と、
路側装置に、割引額特定部が特定した金額を含む割引情報を送信する割引情報送信部とを有し、
上記路側装置は、
車載器と無線通信を行い、車載器との間で情報を授受する無線通信部と、
無線通信部が車載器から受信した情報に基づいて、車載器の固有情報を出力する固有情報出力部と、
固有情報出力部が出力した固有情報を中央制御装置に送信する固有情報送信部と、
中央制御装置から割引情報を受信する割引情報受信部と、
割引情報受信部が受信した割引情報を、精算装置に送信する割引情報送信部とを有し、
上記精算装置は、
ユーザのサービスの利用状況に基づいて算出した割引前のサービス利用料金と、路側装置の割引情報送信部から受信した割引情報とに基づいて、ユーザに課金すべき割引後のサービス利用料金を算出する料金算出部を有することを特徴とする課金システム。
【請求項２】
請求項１に記載の課金システムにおいて、
上記中央制御装置の割引基本情報取得部は、割引基本情報の入力を受けるウェブページを配信するウェブページ配信部を含み、
上記ユーザの携帯端末は、上記ウェブページ配信部にアクセスし、割引基本情報をウェブページに入力することを特徴とする課金システム。
【請求項３】
請求項１に記載の課金システムにおいて、
上記中央制御装置の割引基本情報取得部は、割引基本情報が入力された電子メールを、ユーザの携帯端末から受信することを特徴とする課金システム。
【請求項４】
請求項１に記載の課金システムにおいて、
上記中央制御装置のメール送信部がユーザの携帯端末に送信する電子メールは、路側装置の設置されたサービス提供領域で提供されるサービスに対応した返信用メールアドレスを含み、
上記中央制御装置の割引基本情報取得部は、上記返信用メールアドレスに宛てて送信されて割引基本情報を含む電子メールを、ユーザの携帯端末から受信することを特徴とする課金システム。
【請求項５】
請求項４に記載の課金システムにおいて、
上記中央制御装置の割引基本情報取得部が受信する電子メールは、数字及び記号の少なくとも一方で表されてユーザに操作により入力された割引基本情報を含むことを特徴とする課金システム。
【請求項６】
請求項１に記載の課金システムにおいて、
上記割引基本情報は、路側装置の設置されたサービス提供領域に関連する所定のサービスに対してユーザが支払った金額を示す情報を含むことを特徴とする課金システム。
【請求項７】
請求項１に記載の課金システムにおいて、
上記精算装置は、料金算出部で算出された割引後のサービス利用料金を含む料金情報を中央制御装置に送信する料金情報送信部を有し、
上記中央制御装置は、精算装置から受信した料金情報に基づいて、ユーザに対応して予め定められた決済方法により決済を行う決済部を有することを特徴とする課金システム。
【発明の詳細な説明】
【技術分野】
【０００１】
本発明は、道路通行料金の決済を行うための車載器を用いて車両又はそのユーザに提供されるサービスに関し、サービス利用代金を特定するための課金システムに関する。
【背景技術】
【０００２】
近年、有料道路の通行料金の決済を行うために、ＥＴＣ（Electronic Toll
Collection system：料金自動収受システム、登録商標）の導入が進みつつある。ＥＴＣは、料金所に設置された路側装置と、車両に搭載された車載器との間で、ＤＳＲＣ（Dedicated Short Range Communication：狭域通信）方式による双方向無線通信を行い、通行料金の支払いに必要な情報を送受信するシステムである。ＥＴＣによれば、車両は従来のように料金収受のために停止することなく、ノンストップで料金所を通過できる。これにより、料金所の渋滞解消や、ユーザの利便性向上や、料金所の施設の簡素化等といった種々の利点が得られる。このため、有料道路のＥＴＣ対応が進みつつあると共に、車載器を搭載した車両もまた増加しつつある。
【０００３】
最近、ＥＴＣの車載器の機能を、有料道路以外のサービスに関する料金の決済に活用することが実現され始めており、その一例として、駐車場の利用料金の決済を車載器により行うことが提案されている。
【０００４】
ところで、店舗等に併設された駐車場では、来場者が店舗で商品を購入すると、来場者の駐車場の利用料金を割り引くことが一般に行われている。このような駐車場では、駐車場の入口や駐車領域に配置された発券機で駐車券を発行すると共に、店舗で商品を購入した来場者に割引券を渡している。来場者が駐車場から車両を出庫させる際、精算機に駐車券と割引券を挿入して、利用料金の精算を行うようにしている。
【０００５】
このような駐車場に、車載器による利用料金の決済を導入する場合、駐車券を発行しないので割引券による割引は困難となる。そこで、従来、車載器のユーザが有する携帯端末を利用して、車載器による駐車場の利用料金の精算を行うようにした精算システムが提案されている（特許文献１参照）。
【０００６】
この精算システムでは、車載器から携帯端末に車両情報及び入庫時間等を送信して記憶させ、ユーザが店舗で商品の購入代金を支払う際に、携帯端末に記憶させた車両情報及び入庫時間等を店舗端末に転送する。店舗端末は、携帯端末から転送された入庫時間と、ユーザの支払額とに応じて駐車場の利用料金の割引額を計算し、この割引額を、携帯端末から転送された車両情報に含まれて車両を特定する固有情報と関連づけて精算機へ送信する。精算機は、受信した固有情報と割引額を記憶し、記憶した固有情報と、車両の出庫時に車載器から受信した固有情報とが一致する場合、記憶した割引額を差し引いて駐車場料金の決済処理を行っている。
【先行技術文献】
【特許文献】
【０００７】
【特許文献１】特開２００６−１１３８９４号公報
【発明の概要】
【発明が解決しようとする課題】
【０００８】
しかしながら、上記特許文献１の精算システムは、車載器と携帯端末との間と、携帯端末と店舗端末との間で情報通信を行う必要があるので、車載器と携帯端末と店舗端末が、例えばブルートゥース（登録商標）のような統一規格の通信機能を有する必要がある。したがって、ユーザの車載器や携帯端末が、統一規格の通信機能を有していないと、精算システムを利用できないという問題がある。
【０００９】
また、車両を特定する固有情報は、ユーザの個人情報に準じる秘密保持情報であり、固有情報を車載器から携帯端末や店舗端末に送信すると、個人情報に準じる情報が漏洩する恐れがある。
【００１０】
そこで、本発明の課題は、ユーザが保有している一般的な車載器や携帯端末を用いて、サービスの利用料金の割引を行うことができる課金システムを提供することにある。また、ユーザに関する情報の漏洩を防止できる課金システムを提供することにある。
【課題を解決するための手段】
【００１１】
上記課題を解決するため、本発明の課金システムは、車載器を搭載した車両又はそのユーザに提供されるサービスに関し、サービス利用代金を特定するための課金システムであって、
中央制御センターに設置された中央制御装置と、サービスの提供領域に設置された路側装置及び精算装置とを備え、
上記中央制御装置は、
路側装置から受信した車載器の固有情報に基づいて車載器の認証を行う認証部と、
認証部による車載器の認証が成功すると、車載器の固有情報に予め関連付けられたユーザの携帯端末のメールアドレスに宛てて、サービス利用料金の割引を行う旨を示す割引対象情報又は割引対象情報をユーザの携帯端末に表示するためのリンク情報を含んだ電子メールを送信するメール送信部と、
割引のための割引基本情報を取得する割引基本情報取得部と、
割引基本情報取得部が取得した割引基本情報に基づいて、サービス利用料金から割り引くべき金額を特定する割引額特定部と、
路側装置に、割引額特定部が特定した金額を含む割引情報を送信する割引情報送信部とを有し、
上記路側装置は、
車載器と無線通信を行い、車載器との間で情報を授受する無線通信部と、
無線通信部が車載器から受信した情報に基づいて、車載器の固有情報を出力する固有情報出力部と、
固有情報出力部が出力した固有情報を中央制御装置に送信する固有情報送信部と、
中央制御装置から割引情報を受信する割引情報受信部と、
割引情報受信部が受信した割引情報を、精算装置に送信する割引情報送信部とを有し、
上記精算装置は、
ユーザのサービスの利用状況に基づいて算出した割引前のサービス利用料金と、路側装置の割引情報送信部から受信した割引情報とに基づいて、ユーザに課金すべき割引後のサービス利用料金を算出する料金算出部を有することを特徴としている。
【００１２】
上記構成によれば、サービスの提供領域に、車載器が搭載された車両が進入すると、路側装置の無線通信部が車載器と無線通信を行い、車載器との間で情報を授受する。路側装置の固有情報出力部は、無線通信部が車載器から受信した情報に基づいて、車載器の固有情報を出力する。固有情報出力部が出力した車載器の固有情報を、路側装置の固有情報送信部が中央制御装置に送信する。中央制御装置の認証部は、路側装置から受信した車載器の固有情報に基づいて車載器の認証を行う。認証部による車載器の認証が成功すると、中央制御装置のメール送信部が、車載器の固有情報に予め関連付けられたユーザの携帯端末のメールアドレスに宛てて、サービス利用料金の割引を行う旨を示す割引対象情報又は割引対象情報をユーザの携帯端末に表示するためのリンク情報を含んだ電子メールを送信する。ユーザは、携帯端末に送信された割引対象情報を携帯端末に表示し、又は、携帯端末に送信されたリンク情報に基づいて携帯端末に割引対象情報を表示し、この割引対象情報の表示に対応して得た割引基本情報を携帯端末に入力する。一方、中央制御装置は、割引基本情報を割引基本情報取得部が取得し、この割引基本情報取得部が取得した割引基本情報に基づいて、割引額特定部が、サービス利用料金から割り引くべき金額を特定する。割引額特定部が特定した金額を含む割引情報を、割引情報送信部が路側装置に送信する。路側装置の割引情報受信部が、中央制御装置から割引情報を受信し、割引情報送信部が、割引情報受信部が受信した割引情報を精算装置に送信する。精算装置の料金算出部が、ユーザのサービスの利用状況に基づいて算出した割引前のサービス利用料金と、路側装置の割引情報送信部から受信した割引情報とに基づいて、ユーザに課金すべき割引後のサービス利用料金を算出する。算出された割引後のサービス利用料金は、例えば精算機へのユーザによる入金や、中央制御装置等を経由した電子決済等によって決済される。こうして、ユーザは、例えば従来の駐車場におけるような駐車券や割引券の受け渡しを行うことなく、チケットレスにより、サービスの利用料金に対して割引を受けることができる。
【００１３】
本発明の課金システムは、上記中央制御装置と路側装置と精算装置を用いることにより、ユーザの携帯端末として、割引対象情報又はリンク情報が付加された電子メールを受信する機能と、割引対象情報を表示する機能と、割引基本情報の送信機能とを有するものを用いることができる。すなわち、ユーザの携帯端末として、一般的に普及している電子メールの送信機能と、文字又は画像の表示機能と、例えばインターネットを通じた情報通信機能を有するものを用いることができる。したがって、従来の精算システムのように、互いに情報通信が可能な車載器及び携帯端末や、店舗端末と情報通信が可能な携帯端末を用いる必要が無いので、一般的な機能を有する既存の車載器と携帯端末を有するユーザに、サービスの利用料金の割引を行うことができる。その結果、ユーザに車載器と携帯端末の新たな購入を強いることなく、車載器を用いたサービスの利用料金の決済に対して割引を行うことができる。なお、割引基本情報は、ユーザの携帯端末以外に、サービスの提供領域に配置された端末装置から、中央制御装置に送信されてもよい。
【００１４】
また、本発明の課金システムは、車載器の固有情報や車両に関する情報を、ユーザの携帯端末には送信しないので、ユーザの個人情報に準じる情報の漏洩を、従来の精算システムよりも効果的に防止できる。
【００１５】
一実施形態の課金システムは、上記中央制御装置の割引基本情報取得部は、割引基本情報の入力を受けるウェブページを配信するウェブページ配信部を有し、上記ユーザの携帯端末は、上記ウェブページ配信部にアクセスし、割引基本情報をウェブページに入力する。
【００１６】
上記実施形態によれば、ユーザは、携帯端末を操作して、中央制御装置の割引基本情報取得部に含まれるウェブページ配信部が配信するウェブページにアクセスし、割引基本情報をウェブページに入力する。これにより、携帯端末から割引基本情報取得部へ割引基本情報を送信して、容易にサービスの利用料金の割引を受けることができる。
【００１７】
一実施形態の課金システムは、上記中央制御装置の割引基本情報取得部は、割引基本情報が入力された電子メールを、ユーザの携帯端末から受信する。
【００１８】
上記実施形態によれば、ユーザは、例えば携帯端末の２次元コード読み取り機能や入力部への入力等により割引基本情報を入力した電子メールを生成し、この電子メールを携帯端末から中央制御装置に送信することにより、容易にサービスの利用料金の割引を受けることができる。
【００１９】
一実施形態の課金システムは、上記中央制御装置のメール送信部がユーザの携帯端末に送信する電子メールは、路側装置の設置されたサービス提供領域で提供されるサービスに対応した返信用メールアドレスを含み、
上記中央制御装置の割引基本情報取得部は、上記返信用メールアドレスに宛てて送信されて割引基本情報を含む電子メールを、ユーザの携帯端末から受信する。
【００２０】
上記実施形態によれば、ユーザの携帯端末が、返信用メールアドレスを含む電子メールを受信し、この返信用メールアドレスに宛てて割引基本情報を含む電子メールを送信することにより、容易に上記サービスの利用料金の割引を受けることができる。
【００２１】
一実施形態の課金システムは、上記中央制御装置の割引基本情報取得部が受信する電子メールは、数字及び記号の少なくとも一方で表されてユーザに操作により入力された割引基本情報を含む。
【００２２】
上記実施形態によれば、ユーザが携帯端末を操作して電子メールに上記数字及び記号の少なくとも一方を入力することにより、容易に割引基本情報を含んだ電子メールを中央制御装置の割引基本情報取得部に送信できる。
【００２３】
一実施形態の課金システムは、上記割引基本情報は、路側装置の設置されたサービス提供領域に関連する所定のサービスに対してユーザが支払った金額を示す情報を含む。
【００２４】
上記実施形態によれば、中央制御装置の割引額特定部により、割引基本情報取得部が取得した割引基本情報に基づいて、所定のサービスに対してユーザが支払った金額に応じてサービス利用料金から割り引くべき金額を特定することができる。
【００２５】
一実施形態の課金システムは、上記精算装置は、料金算出部で算出された割引後のサービス利用料金を含む料金情報を中央制御装置に送信する料金情報送信部を有し、
上記中央制御装置は、精算装置から受信した料金情報に基づいて、ユーザに対応して予め定められた決済方法により決済を行う決済部を有する。
【００２６】
上記実施形態によれば、精算装置の料金算出部で算出された割引後のサービス利用料金を含む料金情報が、料金情報送信部によって中央制御装置に送信され、中央制御装置の決済部により、精算装置から受信した料金情報に基づいて、ユーザに対応して予め定められた決済方法により決済が行われる。これにより、ユーザが割引券等の媒体の受け渡しを行うことなく、チケットレスにより、割引後のサービス利用料金の決済を行うことができる。
【発明の効果】
【００２７】
本発明によれば、車載器が搭載された車両又はユーザに対するサービスの利用料金の決済において、既存の車載器及び携帯端末を使用するユーザに対して、例えば従来の駐車場におけるような駐車券や割引券の受け渡しを行うことなく、チケットレスにより利用料金の割引を行うことができる。
【図面の簡単な説明】
【００２８】
【図１】本発明の課金システムの実施形態としての駐車場の決済システムを示す模式図である。
【図２】センターサーバ、ウェブサーバ、路側サーバ、精算装置、車載器、携帯電話機及び決済サーバの構成を示す模式図である。
【図３Ａ】精算装置、路側サーバ及びセンターサーバの動作を示すフローチャートである。
【図３Ｂ】携帯電話機及びウェブサーバの動作を示すフローチャートである。
【図３Ｃ】精算装置、路側サーバ及びセンターサーバの動作を示すフローチャートである。
【図３Ｄ】精算装置、路側サーバ、センターサーバ及び携帯電話機の動作を示すフローチャートである。
【発明を実施するための形態】
【００２９】
以下、本発明の実施形態を、添付の図面を参照しながら詳細に説明する。
【００３０】
実施形態では、本発明の課金システムを駐車場の決済システムに適用した例を説明する。本実施形態の駐車場の決済システムは、車載器を用いて、有料道路以外のサービスとして駐車場の利用料金の決済を行うものである。この駐車場は店舗に併設されたものであり、本実施形態の決済システムは、店舗でユーザが商品を購入する際に支払った金額に応じて、サービスの利用料金である駐車場の利用料金の割引を行うものである。なお、本発明において、車載器とは、車両に搭載され、ＤＳＲＣ方式の双方向無線通信（以下「ＤＳＲＣ通信」という。）を行う機能を有する機器を広く示す。
【００３１】
まず、本実施形態の決済システムで採用される認証方法の概要を説明する。
【００３２】
ＥＴＣの車載器の記憶装置には、全ての車載器の間で一意的に付与された機器番号が格納されている。車載器を有料道路以外のサービス（例えば洗車サービス、給油サービス、物品販売もしくは駐車場提供サービス等）に用いる場合、機器番号を変換してなる利用車番号が、識別情報として用いられる。利用車番号は、車載器の機器番号を管理する機器番号管理者（現在、わが国では、財団法人道路システム高度化推進機構）により、サービスを行う事業者毎に異なる系列に変換されて付与される。利用車番号に、クレジット会社やクレジット番号等の決済情報を予め対応付けることにより、利用車番号を用いて車載器の認証を行うと共に、サービス利用料金の決済を行うことが可能となる。これにより、ユーザは、車載器により、有料道路の利用以外のサービスを受け、サービス利用料金の決済をキャッシュレスかつ自動的に行うことが可能となる。また、利用車番号に、ユーザ又は車両に関する情報を予め対応付けることにより、利用車番号を用いて車載器の認証を行うと共に、ユーザの消費動向調査や、車両の交通計画に関する調査や、ユーザへの情報配信を行うことが可能となる。
【００３３】
本実施形態の決済システムは、車載器の認証や決済をサービス提供業務から分離して遂行し、駐車場事業者に対して、ユーザの車載器の認証結果の提供や、駐車場の利用料金の決済の代行を行うものである。本実施形態では、決済システムにより、サービス事業者としての駐車場事業者のために、決済システムを提供する管理事業者が車載器の認証及び決済といった基盤業務を行う場合について説明するが、他のサービス事業者として、例えば小売事業者、レストラン事業者、洗車事業者及び給油事業者、有料道路の料金収受事業者等に対して基盤業務を行うことも可能である。なお、サービス事業者が、本実施形態の決済システムによる全ての業務を行ってもよい。
【００３４】
図１は、本実施形態の駐車場の決済システムを示す模式図である。この決済システム１は、認証及び決済業務を行う管理事業者の業務エリアに配置された中央制御装置としてのセンターサーバ２及びウェブサーバ３と、駐車場事業者の運営する駐車場に配置された路側装置としての路側サーバ４と、駐車場に配置されて路側サーバ４に接続された精算装置５とで構成されている。
【００３５】
センターサーバ２と路側サーバ４は、インターネット回線Ｎや専用回線に接続され、ＴＣＰ／ＩＰ（Transmission Control Protocol/Internet Protocol）に準拠した通信方式により、ＳＳＬ／ＴＬＳ（Secure Socket Layer/ Transport Layer Security）の暗号化やスクランブル等で機密性を高めた通信を互いに行うように形成されている。路側サーバ４と精算装置５は、ＬＡＮ（Local Area Network）等により接続されている。
【００３６】
センターサーバ２は、路側サーバ４から受信した車載器の固有情報としての利用車番号に基づいて認証を行うと共に、ユーザの携帯端末としての携帯電話機８からウェブサーバ３が受信した割引基本情報に基づいて割引額を特定し、精算装置５から受信した駐車場料金の決済を行うように構成されている。
【００３７】
ウェブサーバ３は、携帯電話機８からの要求に応じて、ＨＴＭＬ（Hyper Text
Markup Language）形式のデータを送信すると共に、携帯電話機８から割引基本情報と、必要に応じてパスワードを受信するように構成されている。すなわち、ウェブサーバ３は、ウェブページ配信部及び割引基本情報取得部として機能する。
【００３８】
路側サーバ４は、駐車場の入口と出口に配置されたアンテナ４１を介して、車両６に搭載された車載器７と、ＤＳＲＣ通信を行い、車載器に関する情報の授受を行うように構成されている。
【００３９】
精算装置５は、車両６の駐車場の利用時間と割引額から、ユーザに課金する駐車場料金を算出すると共に、認証及び決済の結果に応じて、駐車場の出口と入口に配置された遮断機５１の開閉を制御するように構成されている。
【００４０】
図２は、センターサーバ２と、ウェブサーバ３と、路側サーバ４と、精算装置５と、車載器７と、携帯電話機８と、決済サーバ９の構成を示したブロック図である。
【００４１】
センターサーバ２は、ユーザの携帯電話機８を通じて取得した割引基本情報に基づいて、駐車場の利用料金から割り引くべき割引額を特定する割引額特定部としての割引制御部２０と、ウェブサーバ３が携帯電話機８から受信したパスワードを照合してユーザの認証を行う割引認証部２１と、車載器７の認証を行う車載器認証部２２と、割引後の駐車場料金の決済を行う決済部２３と、路側サーバ４との通信を行う通信部２４と、ユーザの携帯電話機８に割引対象情報を含んだ電子メールを送信するメール送信部２５と、ユーザ及び車両に関する情報が格納されたデータベース２６を有する。
【００４２】
割引制御部２０は、ユーザが店舗で商品の購入に支払った金額の価格帯を表す割引基本情報から、この価格帯に応じて駐車場料金から割り引く割引額を特定する。例えば、商品購入代金の価格帯が１００１円から２０００円の間である場合は割引額を１００円に特定し、商品購入代金の価格帯が２００１円から３０００円の間である場合は割引額を２００円に特定する。
【００４３】
割引認証部２１は、ウェブサーバ３が携帯電話機８から受信したパスワードを、データベース２６のユーザ情報格納部２６３に格納されたパスワードと照合して認証を行う。
【００４４】
車載器認証部２２は、路側装置４から受信した利用車番号を、データベース２６の利用車番号格納部２６１に格納された利用車番号と照合して、車載器７の認証を行う。
【００４５】
決済部２３は、精算装置５で特定された割引後の駐車場料金を、データベース２６の決済情報格納部２６５に格納された決済情報に基づいて決済を行う。詳しくは、決済情報に対応するクレジット会社の決済サーバ９に、決済金額とクレジット番号等を含む売上情報を送信して、決済サーバ９に決済金額の精算を依頼する。
【００４６】
通信部２４は、ＴＣＰ／ＩＰに準拠した通信方式により、ＳＳＬ／ＴＬＳの暗号化やスクランブル等で機密性を高めた通信を行い、路側装置４から利用車番号を受信すると共に、路側装置４に、車載器の認証結果や利用車番号に対応する情報や、割引制御部２０が特定した割引額を含む割引情報等を送信する。
【００４７】
メール送信部２５は、データベース２６のユーザ情報格納部２６３に格納されたユーザの携帯電話機８のメールアドレスに宛てて、駐車場の割引を行う旨を示す割引対象情報を含んだ電子メールを送信する。割引対象情報は、文字及び画像の少なくとも一方で形成され、ユーザが携帯電話機８の表示部８１に表示して店舗の販売員に視認させて、ユーザの駐車場料金が割引の対象である旨を示すものである。割引対象情報を視認した販売員は、商品又はサービスの金額の価格帯に対応する２次元コードとしてのＱＲコード（Quick Response Code、登録商標）をユーザに提示するようになっている。なお、割引対象情報は、電子メールに添付又は包含させてメール送信部２５が携帯電話機８に送信する以外に、割引対象情報をダウンロード又は表示させるウェブページのＵＲＬを含んだ電子メールをメール送信部２５が携帯電話機８に送信してもよい。携帯電話機８が上記ＵＲＬを含んだ電子メールを受信すると、ユーザが携帯電話機８のウェブアクセス機能を起動し、上記ＵＲＬで示されるウェブページにアクセスして割引対象情報を携帯電話機８にダウンロード又は表示させることができる。上記ＵＲＬで示されるウェブページは、ウェブサーバ３に格納することができる。また、上記ＵＲＬは、同一のユーザ又は同一の駐車場の利用であっても、利用の都度、ランダムに異なるＵＲＬを生成し、携帯電話機８で受信した電子メールを不正に繰り返して使用されることを防止するのが好ましい。
【００４８】
また、メール送信部２５は、ユーザが駐車場へ入庫する際に、車載器７の認証結果や、入庫した駐車場名や、入庫日時や、駐車場の利用に対して割引の可否を示す割引対象情報を含んだ電子メールを、ユーザの携帯電話機８のメールアドレスに宛てて送信する。一方、ユーザが駐車場から出庫する際に、決済金額を含んだ電子メールを、ユーザの携帯電話機８のメールアドレスに宛てて送信する。なお、メール送信部２５が送信する電子メールには、入庫した駐車場に併設された店舗等に関する広告情報等が添付されてもよい。
【００４９】
データベース２６には、管理事業者にサービス利用の申し込みをした全てのユーザに関する情報が格納されている。ユーザに関する情報は、車載器の利用車番号と、この利用車番号に紐付けられたＩＤ、ユーザ情報、車両情報及び決済情報である。各情報は、データベース２６の利用車番号格納部２６１と、ＩＤ格納部２６２と、ユーザ情報格納部２６３と、車両情報格納部２６４と、決済情報格納部２６５とに夫々格納されている。また、データベース２６には、駐車場の利用料金から割り引くべき割引額が格納される割引額格納部２６６を有する。
【００５０】
利用車番号格納部２６１に格納された利用車番号は、車載器７の機器番号が変換されて管理事業者に割り振られたものであり、ユーザのサービス利用の申し込みの際に、ユーザを示す識別番号として機器番号管理者から基盤事業者に交付されたものである。利用車番号は、管理事業者が申し込みを受けた範囲内で車載器７に一意的に付与されている。
【００５１】
ユーザ情報格納部２６３に格納されたユーザ情報は、ユーザの氏名、性別、メールアドレス及びパスワード等である。
【００５２】
車両情報格納部２６４に格納された車両情報は、ユーザの車両のナンバープレート番号や、車種等である。
【００５３】
決済情報格納部２６５に格納された決済情報は、ユーザがクレジット会社と契約して設定され、申し込み時に登録されたクレジット番号等の情報である。このクレジット番号等の情報と決済金額とを含む売上情報を、対応するクレジット会社の決済サーバ９に送信する。決済サーバ９は、売上情報が与信の範囲内であれば、有効に受け付けて精算する。クレジット会社は、ユーザから予め指定された銀行口座から代金引き落としを行う等の方法により、ユーザから代金を回収する。
【００５４】
割引額格納部２６６には、ユーザの携帯電話機８からウェブサーバ３を通してセンターサーバ２に入力された情報に基づいて、割引制御部２０で特定された割引額が格納される。割引額格納部２６６に格納された割引額は、車両の出庫時に精算装置５に送信され、精算装置５が割引額を差し引いて駐車場の利用料金を特定する。
【００５５】
センターサーバ２は、ＣＰＵ、記憶装置、入出力装置及び通信モジュール等で構成されたコンピュータであり、記憶装置の所定領域にデータベース２６が構築されていると共に、記憶装置の他の領域に格納されたプログラムがＣＰＵで実行されて、上述の割引制御部２０、割引認証部２１、車載器認証部２２、決済部２３、通信部２４及びメール送信部２５の各機能を奏するように構成されている。
【００５６】
ウェブサーバ３は、携帯電話機８からの要求に応じて、ＨＴＭＬ形式で表されたウェブページの情報を配信するものである。ウェブサーバ３は、ユーザの購入によって駐車場料金の割引対象となる店舗で提供される商品やサービスに関して、パスワード入力部を含んだウェブページの情報として、商品やサービスの価格帯に関連付けられたＵＲＬを付与して格納している。ユーザが携帯電話機８の表示部８１に割引対象情報を表示すると、店舗の販売員が、ユーザの購入した商品又はサービスの属する価格帯に対応するＱＲコードをユーザに提示する。ＱＲコードの提示は、ＱＲコードが印刷された紙や樹脂シート等で行ってもよく、また、ＱＲコードを表示するディスプレイ等で行ってもよい。ユーザは、提示されたＱＲコードを携帯電話機８の撮像部８６で読み込み、ＱＲコード解析部８７で解析された上記ＵＲＬにアクセスしてウェブページの情報を受信する。このＵＲＬは、商品又はサービスの属する価格帯に対応しており、ウェブサーバ３は、当該ＵＲＬのウェブページの情報の要求を携帯電話機８から受けることにより、ユーザが購入した商品又はサービスの価格帯を認識する。このように、携帯電話機８から受信するＵＲＬを含む情報が、割引基本情報に相当する。また、ウェブサーバ３は、携帯電話機８がアクセスする際に受信した個体識別情報により、ユーザを識別する。ウェブサーバ３からＵＲＬに対応するウェブページの情報を受信した携帯電話機８の表示部８１には、パスワードの入力を要求するパスワード入力部が表示される。ユーザが携帯電話機８の入力部８２の操作によってパスワード入力部にパスワードを入力すると、このパスワードがウェブサーバ３を通してセンターサーバ２に送られ、割引認証部２１でユーザの認証を行うようになっている。
【００５７】
ウェブサーバ３は、ＣＰＵ、記憶装置、入出力装置及び通信モジュール等で構成されたコンピュータであり、記憶装置に格納されたプログラムがＣＰＵで実行されて、上述のウェブページの配信機能と、携帯電話機８の識別機能とを奏するように構成されている。
【００５８】
路側サーバ４は、車載器７から受信した機器番号を利用車番号に変換する変換部４２と、センターサーバ２と通信を行う通信部４３と、アンテナ４１を介して車載器７とＤＳＲＣ通信を行うＤＳＲＣ通信部４４を有する。
【００５９】
変換部４２は、駐車場に訪れた車両６の車載器７から受信した機器番号を、利用車番号に変換する変換プログラムによって構成されており、固有情報出力部として機能する。この変換プログラムは、ユーザがサービス利用の申し込みを行った際に、機器番号管理者が管理事業者へ利用車番号を交付するために機器番号を変換するためのプログラムと実質的に同じ変換アルゴリズムを有するものである。
【００６０】
通信部４３は、センターサーバ２との間で、ＳＳＬ／ＴＬＳの暗号化やスクランブル等で機密性を高めたＴＣＰ／ＩＰ通信を行う。また、通信部４３は、精算装置５との間でイーサネット（登録商標）規格等による通信を行う。
【００６１】
ＤＳＲＣ通信部４４は、アンテナ４１を介して、５．８ＧＨｚ帯の電波を車載器７との間で送受信するＤＳＲＣ通信を行い、車載器７から機器番号を受信するように形成されている。
【００６２】
路側サーバ４は、ＣＰＵ、記憶装置、及び通信モジュール等で構成されたコンピュータであり、記憶装置に格納されたプログラムがＣＰＵで実行されて、上述の変換部４２、通信部４３及びＤＳＲＣ通信部４４の各機能を奏するように構成されている。
【００６３】
路側サーバ４は、駐車場に配置された精算装置５に接続されており、この精算装置５は、車両の駐車期間に基づいて駐車場料金を算出して決済料金を特定する精算部５２と、路側サーバ４と通信を行う通信部５３と、遮断機５１の開閉を制御する遮断機制御部５４を有する。
【００６４】
車載器７は、機器番号が格納された記憶部７１と、路側サーバ４とＤＳＲＣ通信を行うＤＳＲＣ通信部７２とを有する。この車載器７は、記憶部７１に格納された機器番号を用いて、ＤＳＲＣ通信部７２の機能により、路側サーバ４との通信に必要な処理を行うように構成されている。
【００６５】
携帯電話機８は、液晶表示装置等で形成され、操作に関する情報や、送受信する電子メールの内容や、ウェブサーバ３から配信されたウェブページの内容を画像及び文字で表示する表示部８１と、ユーザに操作されて入力を受ける入力部８２と、携帯電話機８の個体識別情報や、電子メールの送受信及びウェブページのアクセスにより生成及び取得した情報を格納する記憶部８３と、音声通話を行うための通話部８４と、携帯電話会社等に設置された図示しないゲートウェイサーバを介してインターネットＮに接続し、電子メールの送受信及びウェブページへのアクセスを行う情報通信部８５と、撮像素子及びレンズを含んで形成された撮像部８６と、撮像部８６で撮影されたＱＲコードを解析して情報を抽出するＱＲコード解析部８７を有する。なお、撮像部８６は、例えばＣＭＯＳ（Complementary Metal Oxide Semiconductor；相補性金属酸化膜半導体）撮像素子やＣＣＤ（Charge Coupled Device；電荷結合素子）イメージセンサ等を用いて形成され、ＱＲコードを認識及び解析する機能を有してればよい。この携帯電話機８は、記憶部８３に格納された制御プログラムをＣＰＵで実行し、通話や電子メールの送受信やウェブページのアクセスやＱＲコードの解析に必要な処理を行うように構成されている。
【００６６】
以下、上記構成の決済システム１の動作を、図３Ａ乃至３Ｄのフローチャートを参照しながら説明する。
【００６７】
まず、車両６が駐車場の入口に接近すると、入口に設けられたセンサが車両６の進入を検知して車両検知信号を出力し、この車両検知信号は精算装置５に入力される。精算装置５は、車両検知信号の入力を受けると（ステップＳ１）、路側サーバ４に認証を要求する旨の認証要求情報を通信部５３が送信する（ステップＳ２）。路側サーバ４の通信部４３が認証要求情報を受信すると（ステップＳ３）、ＤＳＲＣ通信部４４がアンテナ４１を介して車載器７とＤＳＲＣ通信を行い、車載器７の機器番号を受信する（ステップＳ４）。ＤＳＲＣ通信部４４が車載器７の機器番号を受信すると、変換部４２が機器番号を変換して利用車番号を生成する（ステップＳ５）。変換部４２が生成した利用車番号を含む認証要求情報を、通信部４３がセンターサーバ２に送信する（ステップＳ６）。利用車番号を含む認証要求情報を受信したセンターサーバ２は（ステップＳ７）、車載器認証部２２により、データベース２６に利用車番号が存在するか否かを確認して認証を行うと共に、ＩＤの特定を行う（ステップＳ８）。車載器認証部２２は、利用車番号がデータベース２６に存在することを確認すると、認証成功の旨と、ユーザのＩＤと、車両情報を含む認証結果情報を生成し（ステップＳ９）、この認証結果情報を通信部２４が路側サーバ４に送信する（ステップＳ１０）。路側サーバ４の通信部４３は、認証結果情報を受信すると、この認証結果情報を精算装置５に転送する（ステップＳ１１）。精算装置５の通信部５３が、認証成功の旨の認証結果情報を受信すると（ステップＳ１２）、遮断機制御部５４が遮断機５１を制御してバーを開き動作させる（ステップＳ１３）。遮断機５１のバーが開くと、車両６が駐車場内に進入し、所定の駐車位置に駐車する。
【００６８】
センターサーバ２は、ステップＳ９において、車載器認証部２２による車載器７の認証が成功すると、メール送信部２５が、ユーザの携帯電話機８のメールアドレスに宛てて、割引対象情報を含んだ電子メールを送信する（ステップＳ１４）。携帯電話機８は、情報通信部８５により、文字及び画像の少なくとも一方で形成された割引対象情報を含んだ電子メールを受信する（ステップＳ１５）。
【００６９】
ユーザが車両６を駐車した駐車場が併設された店舗でユーザが商品を購入する際、ユーザの操作により、携帯電話機８が表示部８１に割引対象情報を表示し（ステップＳ１６）、この割引対象情報を店舗の販売員に視認させる。この割引対象情報を視認した販売員は、ユーザが購入した商品の属する価格帯に対応するＱＲコードをユーザに提示する。ユーザは、提示されたＱＲコードを、携帯電話機８の撮像部８６で撮像する（ステップＳ１７）。撮像部８６がＱＲコードを撮像すると、ＱＲコード解析部８７がＱＲコードからＵＲＬを抽出する（ステップＳ１８）。ユーザから、入力部８２の操作により、上記ＵＲＬへのアクセス指示が入力されると（ステップＳ１９）、情報通信部８５が、ＵＲＬと個体識別情報を含んだ配信要求情報をウェブサーバ３に送信する（ステップＳ２０）。ウェブサーバ３は、携帯電話機８から配信要求情報を受信すると（ステップＳ２１）、配信要求情報に含まれるＵＲＬに対応するＨＴＭＬ情報を携帯電話機８に送信する（ステップＳ２２）。携帯電話機８は、情報通信部８５がＨＴＭＬ情報を受信し（ステップＳ２３）、このＨＴＭＬ情報で表されるウェブページを表示部８１に表示する（ステップＳ２４）。ウェブページには、パスワード入力部が含まれている。ユーザから、入力部８２の操作により、パスワード入力部へパスワードが入力されると（ステップＳ２５）、情報通信部８５が、パスワードを含むパスワード情報をウェブサーバ３に送信する（ステップＳ２６）。ウェブサーバ３は、パスワード情報を携帯電話機８から受信すると（ステップＳ２７）、この情報から抽出したパスワードをセンターサーバ２に出力する（ステップＳ２８）。更に、ウェブサーバ３は、携帯電話機８から受信した配信要求情報から個体識別情報を抽出し（ステップＳ２９）、抽出した個体識別情報をセンターサーバ２に出力する（ステップＳ３０）。センターサーバ２では、割引認証部２１が、ウェブサーバ３から入力されたパスワードを、データベース２６のユーザ情報格納部２６３に格納されたパスワードと照合し、ユーザの認証を行う（ステップＳ３１）。また、割引認証部２１が、ウェブサーバ３から入力された個体識別情報を、データベース２６のユーザ情報格納部２６３に格納された個体識別情報と照合し、ユーザの認証を行う（ステップＳ３２）。パスワードと個体識別情報の認証が成功すると（ステップＳ３３）、割引制御部２０が、携帯電話機８からウェブサーバ３へ送信された配信要求情報に含まれるＵＲＬから、ユーザの購入商品の価格帯を判別し（ステップＳ３４）、この価格帯に対応して、駐車場の使用料金から割り引くべき割引額を特定する（ステップＳ３５）。割引額が特定されると、データベース２６の割引額格納部２６６に割引額を格納する（ステップＳ３６）。
【００７０】
ユーザが店舗で商品を購入し、携帯電話機８によるＱＲコードを用いたウェブサーバ３へのアクセスとパスワードの入力が完了した後、ユーザが駐車場から車両６を出庫させる。ユーザが車両６に乗車し、駐車場の出口に接近すると、出口に設けられたセンサが車両６を検知して車両検知信号を出力し、この車両検知信号が精算装置５に入力され（ステップＳ３７）、精算装置５の通信部５３が、路側サーバ４に認証を要求する旨の認証要求情報を送信する（ステップＳ３８）。路側サーバ４の通信部４３が認証要求情報を受信すると（ステップＳ３９）、ＤＳＲＣ通信部４４が車載器７とＤＳＲＣ通信を行って機器番号を受信し（ステップＳ４０）、変換部４２が機器番号を変換して利用車番号を生成する（ステップＳ４１）。変換部４２が生成した利用車番号を含む認証要求情報を、通信部４３がセンターサーバ２に送信し（ステップＳ４２）、センターサーバ２が認証要求情報を受信すると（ステップＳ４３）、車載器認証部２２により、データベース２６を参照して利用車番号の認証を行うと共に、ＩＤの特定を行う（ステップＳ４４）。利用車番号の認証が成功すると、車載器認証部２２は、認証成功の旨と、ユーザのＩＤと、データベース２６の割引額格納部２６６に格納された割引額とを含む出庫時認証結果情報を生成し（ステップＳ４５）、この出庫時認証結果情報を通信部２４が路側サーバ４に送信する（ステップＳ４６）。路側サーバ４の通信部４３は、出庫時認証結果情報を受信すると、この出庫時認証結果情報を精算装置５に転送する（ステップＳ４７）。精算装置５の通信部５３が出庫時認証結果情報を受信すると（ステップＳ４８）、精算部５２が、ＩＤに紐付いて記憶された入庫時間から車両６の駐車時間を算出し、駐車時間に応じた駐車場料金を算出する（ステップＳ４９）。精算部５２は、上記駐車場料金から、出庫時認証結果情報に含まれる割引額を割り引いて、割引後の駐車場料金を特定する（ステップＳ５０）。
【００７１】
割引後の駐車場料金を特定すると、精算装置５の精算部５２は、ＩＤ、決済金額、割引金額等を含む決済要求情報を生成し（ステップＳ５１）、この決済要求情報を通信部５３が路側サーバ４へ送信する（ステップＳ５２）。
【００７２】
路側サーバ４は、通信部２４が決済要求情報を受信すると、この決済要求情報をセンターサーバ２に転送し（ステップＳ５３）、センターサーバ２が決済要求情報を受信すると（ステップＳ５４）、センターサーバ２の決済部２３が、データベース２６の決済情報格納部２６５に格納された決済情報に基づいて決済処理を行う。まず、決済部２３は、決済情報に対応するクレジット会社の決済サーバ９に、決済金額とクレジット番号等を含む売上情報を送信する（ステップＳ５５）。決済サーバ９は、売上情報が与信の範囲内である場合、ユーザのクレジット番号に対応して決済金額を含む売上情報を受け付けて精算し、ユーザの引き落とし口座から代金を引き落とすための処理を行う。決済サーバ９の処理が完了すると、決済が完了した旨の決済完了情報が決済サーバ９からセンターサーバ２に送信され、センターサーバ２が決済完了情報を受信すると（ステップＳ５６）、路側サーバ４に決済完了情報を送信する（ステップＳ５７）。路側サーバ４は、決済完了情報を受信すると（ステップＳ５８）、この決済完了情報を精算装置５に転送し（ステップＳ５９）、精算装置５が決済完了情報を受信すると（ステップＳ６０）、遮断機制御部５４により、出口の遮断機５１のバーを開制御し（ステップＳ６１）、遮断機５１のバーが開いた出口から車両６が出庫する。車両６が出庫して遮断機５１のバーが閉じると、車両が出庫した旨を示す出庫完了情報が精算装置５から路側サーバ４に送信され（ステップＳ６２）、路側サーバはセンターサーバ２に出庫完了情報を転送する（ステップＳ６３）。センターサーバ２は、出庫完了情報を受信すると（ステップＳ６４）、メール送信部２５により、駐車場料金の決済が完了した旨と、割引前の駐車場料金と、割引後の決済額等を含む決済報告情報を含んだ電子メールを、ユーザの携帯電話機８のメールアドレスに宛てて送信する（ステップＳ６５）。携帯電話機８は、上記決済報告情報を含んだメールを受信し（ステップＳ６６）、決済システム１の一連の決済処理が完了する。
【００７３】
上述のように、本実施形態の決済システム１によれば、ユーザの携帯電話機８に割引対象情報を表示して駐車場の利用料金の割引を行う旨を示すと共に、割引額の根拠となる割引基本情報を、ユーザの携帯電話機８よりウェブサーバ３を通してセンターサーバ２に送信する。したがって、駐車場の利用と割引に関し、ユーザに駐車券や割引券の受け渡しを削除できるので、ユーザは、駐車場の利用と利用料金の割引及び決済を、チケットレスで行うことができる。また、ユーザの車両６は、入庫時と出庫時の夫々において、車載器７をアンテナ４１を介して路側サーバ４とＤＳＲＣ通信を行うことにより、キャッシュレス及び実質的にノンストップで、割引後の駐車場料金の決済を行うことができる。
【００７４】
また、この決済システム１によれば、センターサーバ２と路側サーバ４と精算装置５との機能により、ユーザの携帯電話機８としては、一般的な電子メールの送受信機能と、インターネットＮを通したウェブページへのアクセス機能を有するものを用いることができる。したがって、従来の精算システムのように、互いに情報通信が可能な車載器及び携帯端末や、店舗端末と情報通信が可能な携帯端末を用いる必要が無いので、既存の一般的な携帯電話機と車載器を有する多くのユーザに、店舗での商品の購入代金に応じた割引を考慮した駐車場料金の決済を行うことができる。
【００７５】
また、この決済システム１によれば、車載器の利用車番号は、センターサーバ２と路側サーバ４との間のみで送受信すると共に、ＩＤや車両情報はセンターサーバ２と路側サーバ４と精算装置５との間のみで送受信して、ユーザの携帯電話機８には利用車番号、ＩＤ及び車両情報のいずれも送信しない。したがって、個人情報に準じる利用車番号やＩＤや車両情報の漏洩を、従来の精算システムよりも有効に防止できる。
【００７６】
また、従来、駐車場料金の割引を行うには、駐車場に設置された精算機に適合する割引チケットを準備する必要があったが、本実施形態の駐車場の決済システム１によれば、精算機の機種に依存することなく、駐車場料金の割引を行うことができる。
【００７７】
なお、本実施形態の決済システム１では、車載器７から無線通信により受信した機器番号を、固有情報出力部としての変換部４２で変換して、固有情報としての利用車番号を生成したが、固有情報としてＩＤを用いてもよく、また、固有情報として車載器７の機器番号を用いてもよく、或いは、固有情報としてＤＳＲＣ通信時に車載器７から受信したＷＣＮ（Wireless Call Number）を用いてもよい。
【００７８】
また、上記実施形態の決済システム１は、センターサーバ２を介してクレジット会社による信用販売で行ったが、ユーザのサービス利用料金の決済は、プリペイド口座や銀行口座からの引き落としによるデビット決済や、電子マネー会社との契約に基づくプリペイド又はポストペイ決済でもよい。或いは、管理事業者が直接プリペイド決済を行ってもよく、この場合、センターサーバに決済サーバの機能を持たせてもよく、或いは、管理事業者が決済サーバを別途設置してもよい。
【００７９】
また、上記実施形態の決済システム１は、割引基本情報を携帯電話機８からウェブサーバ３に送信するため、ＱＲコードを用いてウェブサーバ３のＵＲＬの入力を行ったが、他の２次元コードでＵＲＬを入力してもよい。
【００８０】
また、割引基本情報を携帯電話機８からウェブサーバ３に送信する際、ユーザの認証のため、ウェブサーバ３から配信されたウェブページのパスワード入力部に、予め定められたパスワードを入力したが、ワンタイムパスワードでユーザ認証を行ってもよい。すなわち、所定時間毎に所定のアルゴリズムでパスワードを生成するパスワード生成機をユーザに渡しておくと共に、センターサーバ２の割引認証部２１が上記パスワード生成機と同一のアルゴリズムで照合用のパスワードを生成し、ユーザが入力したパスワードを、照合用のパスワードと照合してユーザ認証を行ってもよい。
【００８１】
また、割引基本情報を携帯電話機８からウェブサーバ３に送信する際、個体識別情報による携帯電話機８の認証と、パスワードによるユーザの認証を行ったが、個体識別情報による認証とパスワードによる認証とのいずれか一方のみを行ってもよい。
【００８２】
また、割引基本情報を携帯電話機８からウェブサーバ３に送信する際、ＱＲコードによりウェブサーバ３のＵＲＬを携帯電話機８に入力してウェブページにアクセスしたが、ＱＲコードによりセンターサーバ２のメールサーバのメールアドレスを入力し、電子メールにより割引基本情報をセンターサーバ２に送信してもよい。この場合、商品又はサービスの価格に対応するメールアドレスを携帯電話機８に入力し、このメールアドレスに宛てて送信する電子メールを、割引基本情報とすることができる。ここで、上記メールアドレスは、同一のユーザ又は同一の駐車場の利用であっても、利用の都度、ランダムに異なるメールアドレスを生成し、割引基本情報としての電子メールが不正に繰り返して使用されることを防止するのが好ましい。
【００８３】
また、割引基本情報は、携帯電話機８がＱＲコードを解析して得たＵＲＬを含む情報や、携帯電話機８がＱＲコードを解析して得たメールアドレスに宛てて送信する電子メールのほか、ユーザによって携帯電話機８に入力されるシリアル番号等であってもよい。割引基本情報がシリアル番号等である場合、次のような構成により、携帯端末としての携帯電話機８に割引基本情報を入力してセンターサーバ２へ送信する。
【００８４】
まず、センターサーバ２の電子メール送信部２５は、ユーザの携帯電話機８へ送信する電子メールに、割引対象情報のほか、シリアル番号を入力するためのウェブページのＵＲＬを包含させる。この電子メールを携帯電話機８で受信したユーザは、駐車場料金の割引対象となる店舗で商品やサービスを購入する際、携帯電話機８の表示部８１に割引対象情報を表示する。これを視認した店舗の販売員は、ユーザの購入した商品又はサービスの属する価格帯に対応するシリアル番号をユーザに提示する。シリアル番号の提示は、シリアル番号が印刷された紙や樹脂シート等で行うほか、シリアル番号を表示するディスプレイ等で行う。シリアル番号は、数字及び英文字の少なくとも一方で形成したものを用いることができる。ユーザは、携帯電話機８で上記ＵＲＬにアクセスし、このＵＲＬに対応して表示部８１に表示されたシリアル番号の入力用のウェブページの入力領域に、上記提示されたシリアル番号を、携帯電話機８の入力部８２を操作して入力する。ウェブサーバ３は、携帯電話機８から、上記ウェブページの入力領域に入力されたシリアル番号を受信し、センターサーバ２の割引制御部２０は、ウェブサーバ３が受信したシリアル番号に基づいて、ユーザが購入した商品又はサービスの価格帯を認識する。こうして、携帯電話機８から受信するシリアル番号が、割引基本情報として機能する。上記ウェブサーバ３は、携帯電話機８からシリアル番号と共に受信した個体識別情報により、ユーザを識別する。ここで、携帯電話機８が上記ＵＲＬに対応するシリアル番号の入力用のウェブページにアクセスする際、又は、携帯電話機８がシリアル番号を送信する際に、ユーザ認証を行うために、ユーザにパスワードの入力を要求するパスワード入力部を表示部８１に表示させてもよい。この場合、ユーザが携帯電話機８の入力部８２の操作によって入力したパスワードを、ウェブサーバ３を通してセンターサーバ２が受信し、割引認証部２１でユーザの認証を行う。
【００８５】
このように、割引基本情報としてシリアル番号を用いることにより、比較的簡易な構成により、ユーザの駐車場料金から割り引くべき割引額を検知することができる。ここで、上記ユーザの携帯電話機８へ送信する電子メールには、同一のユーザ又は同一の駐車場の利用であっても、利用の都度、ランダムに異なるＵＲＬを包含させ、不正に繰り返してアクセスを受けることを防止するのが好ましい。なお、センターサーバ２は、ユーザからＵＲＬのウェブページを通じてシリアル番号の入力を受けると、そのユーザが上記シリアル番号を使用済みである旨を記憶するので、シリアル番号の再入力によって割引処理が不正に実行させられることが無い。また、シリアル番号は、ワンタイムのシリアル番号を用いるのが好適である。ワンタイムのシリアル番号は、次のようにして生成及び照合することができる。まず、駐車場料金の割引対象となる商品又はサービスを提供する店舗に、シリアル番号生成機を設置する。このシリアル番号生成機は、所定のアルゴリズムに従って、商品又はサービスの購入代金に対応すると共に時系列において変動するシリアル番号を生成し、生成したシリアル番号を表示部に表示する。一方、センターサーバ２に、上記シリアル番号生成機と同じアルゴリズムで照合番号を生成する照合番号生成部を内蔵する。ユーザが上記店舗で商品又はサービスを購入したとき、その購入代金に応じて上記シリアル番号生成機が生成するシリアル番号がユーザに提示される。ユーザは、提示されたシリアル番号を携帯電話機８に入力し、ウェブサーバ３を通じてセンターサーバ２に送信される。センターサーバ２は、内蔵された照合番号生成部が生成する照合番号と、携帯電話機８から受信したシリアル番号とを照合することにより、シリアル番号に対応する割引額を検知することができる。このようなワンタイムのシリアル番号を用いる場合、シリアル番号を印刷した紙や樹脂シートを店舗に予め配布する必要が無いので、シリアル番号の不正使用を高度に防止することができる。
【００８６】
また、割引基本情報としてシリアル番号を用いる場合、電子メールの送受信機能のみにより、次のようにして、携帯電話機８からセンターサーバ２にシリアル番号を送信することができる。すなわち、車両６の入庫時に車載器を認証する際、車載器の認証が成功した場合に、センターサーバ２が、駐車場に応じた返信用メールアドレスを含む電子メールを携帯電話機８に送信する。ここで、電子メールに包含させる返信用メールアドレスをランダムに異ならせることにより、その都度のみ電子メールを受け付けるのが好ましく、これにより、後に返信用メールアドレスへ不正な電子メールが配信される不都合を防止できる。ユーザは、携帯電話機８の入力部８２を操作し、商品又はサービスの価格に応じて提示されたシリアル番号を電子メールに入力し、この電子メールを、上記返信用メールアドレスに宛てて送信する。送信された電子メールは、上記返信用メールアドレスが設定されたメールサーバに受信され、この電子メール中のシリアル番号が、メールサーバからセンターサーバ２に伝達されて、センターサーバ２の割引制御部２０がシリアル番号に対応する割引額を検知する。この場合、メールサーバが割引基本情報取得部として機能する。このように、携帯電話機８がウェブページへのアクセス機能を有しなくても、電子メールの送受信機能を有していれば、割引基本情報をセンターサーバ２に送信することができる。
【００８７】
また、本発明の課金システムは、割引後の駐車場料金を特定する機能を有していればよく、決済の方法は、センターサーバ２を介したクレジット決済には限定されず、課金システムで特定された割引後の駐車場料金を係員に現金で支払って決済を行ってもよい。また、課金システムで特定された割引後の駐車場料金を、精算装置５の現金投入口に投入して決済を行ってもよい。
【００８８】
また、本発明の課金システムは、有料道路の料金収受に適用してもよい。すなわち、車載器を用いて有料道路の利用料金の収受を行う際、有料道路外の店舗の利用代金や、駐車場の利用代金に応じて有料道路の利用料金の割引を行う所謂路外パーキングエリアに適用することも可能である。さらに、有料道路の利用料金の額に応じて、他の利用機会における有料道路の利用料金の割引を行ったり、駐車場利用料金の割引を行ってもよい。
【００８９】
また、本発明の課金システムの上記実施形態において、センターサーバ２は、割引基本情報を受信して割引額を検知したときに、駐車場の入庫履歴を照合して現実の駐車場の利用を確認し、割引の不正利用を防止してもよい。
【００９０】
また、上記実施形態において、ユーザの携帯電話機８を通じて割引基本情報を送信したが、駐車場の窓口に、インターネット接続が可能な端末装置を配置し、この端末装置を係員が操作することにより、ユーザの割引基本情報をセンターサーバ２に送信してもよい。この場合、端末装置を操作する係員が、表示部に表示された入力用のウェブページに、ユーザを特定する情報としてユーザの会員証に記載された会員番号等を入力すると供に、割引基本情報として、店舗でユーザが受け取ったレシート等に記載された金額や、上記実施形態と同様のシリアル番号を入力する。これらのユーザを特定する情報及び割引基本情報を、ウェブサーバ３を通してセンターサーバ２に送信することにより、チケットレス及びノンストップで駐車場料金の割引決済を行うことができる。
【００９１】
また、上記実施形態において、携帯端末として、携帯電話機８以外に、メール送受信機能とインターネットアクセス機能を有するＰＤＡ（Personal Digital Assistant）及びパーソナルコンピュータ等の他のものを用いてもよい。
【符号の説明】
【００９２】
１  決済システム
２  センターサーバ
３  ウェブサーバ
４  路側サーバ
５  精算装置
６  車両
７  車載器
８  携帯電話機
Ｎ  インターネット
【図１】
2011209989.tif 000003
【図２】
2011209989.tif 000004
【図３Ａ】
2011209989.tif 000005
【図３Ｂ】
2011209989.tif 000006
【図３Ｃ】
2011209989.tif 000007
【図３Ｄ】
2011209989.tif 000008